(57)【要約】【課題】本発明には、レンズが提供される。【解決手段】レンズは、鏡筒と、鏡筒内に収容されるレンズ群とを備え、レンズ群は第１レンズを含み、鏡筒の内側壁には、第１磁気吸着部材が設けられており、第１レンズの外側壁には、第１磁気吸着部材に磁気吸着される第２磁気吸着部材が設けられている。本発明では、鏡筒の内側壁に第１磁気吸着部材３０が設けられており、第１レンズの外側壁に第１磁気吸着部材に磁気吸着される第２磁気吸着部材が設けられており、このように、磁力により第１レンズを鏡筒内に固定し、第１レンズの外形寸法をより小さくすることができ、第１レンズの径方向における寸法及び体積を効果的に小さくし、電子機器のアスペクト比を向上させ、電子機器の体積を小さくすることに有利であり、これによって、当該レンズは小型化のレンズという市場の需要を満たすことができる。【選択図】図１
2020106823.tif 000002
【特許請求の範囲】
【請求項１】
鏡筒と、前記鏡筒内に収容されるレンズ群とを備え、前記レンズ群は第１レンズを含むレンズであって、前記鏡筒の内側壁には、第１磁気吸着部材が設けられており、前記第１レンズの外側壁には、前記第１磁気吸着部材に磁気吸着される第２磁気吸着部材が設けられていることを特徴とするレンズ。
【請求項２】
前記第１レンズは、第１光学部と、前記第１光学部の外周に設置される第１固定部とを含み、前記第１磁気吸着部材は前記鏡筒の内側壁に取り囲んで設置される環状の部材であり、前記第２磁気吸着部材は前記第１固定部の外側壁に取り囲んで設置される環状の部材であることを特徴とする請求項１に記載のレンズ。
【請求項３】
前記鏡筒の内側壁には、第１環状溝が設けられており、前記第１磁気吸着部材は前記第１環状溝内に嵌設され、前記第１固定部の外側壁には、第２環状溝が凹設されており、前記第２磁気吸着部材は前記第２環状溝内に嵌設されていることを特徴とする請求項２に記載のレンズ。
【請求項４】
前記第２磁気吸着部材は前記第１レンズの外側壁に取り囲んで設置される環状の部材であり、前記第１磁気吸着部材は、周方向に前記鏡筒の内側壁に間隔をあけて設置される幾つかの第１磁気ブロックを含むことを特徴とする請求項１に記載のレンズ。
【請求項５】
前記鏡筒の内側壁には、周方向に間隔をあけて設置される幾つかの第１溝が設けられており、前記第１溝毎に１つの前記第１磁気ブロックが嵌設されており、前記第１レンズの外側壁に第２環状溝が凹設されており、前記第２磁気吸着部材は前記第２環状溝内に嵌設されていることを特徴とする請求項４に記載のレンズ。
【請求項６】
前記第１磁気吸着部材は前記鏡筒の内側壁に取り囲んで設置される環状の部材であり、前記第２磁気吸着部材は、周方向に前記第１レンズの外側壁に間隔をあけて設置される幾つかの第２磁気ブロックを含むことを特徴とする請求項１に記載のレンズ。
【請求項７】
前記鏡筒の内側壁に第１環状溝が設けられており、前記第１磁気吸着部材は前記第１環状溝内に嵌設され、前記第１レンズの外側壁には、周方向に間隔をあけて設置される幾つかの第２溝が設けられており、前記第２溝毎に１つの前記第２磁気ブロックが嵌設されていることを特徴とする請求項６に記載のレンズ。
【請求項８】
前記第１磁気吸着部材は、周方向に前記鏡筒の内側壁に間隔をあけて設置される幾つかの第１磁気ブロックを含み、前記第２磁気吸着部材は、周方向に前記第１レンズの外側壁に間隔をあけて設置される幾つかの第２磁気ブロックを含み、かつ、前記鏡筒の内側壁には、周方向に間隔をあけて設置される幾つかの第１溝が設けられており、前記第１溝毎に１つの前記第１磁気ブロックが嵌設されており、前記第１レンズの外側壁には、周方向に間隔をあけて設置される幾つかの第２溝が設けられており、前記第２溝毎に１つの前記第２磁気ブロックが嵌設されていることを特徴とする請求項１に記載のレンズ。
【請求項９】
前記レンズ群は、前記第１レンズの像側又は物体側に設置される少なくとも１つの第２レンズをさらに含み、前記第２レンズは、第２光学部と、前記第２光学部の外周に設置される第２固定部とを含み、前記鏡筒の内側壁には、前記鏡筒の軸方向において前記第１磁気吸着部材と間隔をあけて設置される第３磁気吸着部材が設けられており、前記第２固定部の外側壁には、前記第３磁気吸着部材に磁気吸着される第４磁気吸着部材が設けられていることを特徴とする請求項２に記載のレンズ。
【請求項１０】
前記第１固定部及び前記第２固定部のいずれにも、消光のための黒色消光層が設けられていることを特徴とする請求項９に記載のレンズ。
【発明の詳細な説明】
【技術分野】
【０００１】
本発明は、光学結像技術の分野に関し、特に、レンズに関する。
【背景技術】
【０００２】
近年、結像技術の発展及び結像機能を有する電子製品の登場に伴い、撮影機能は例えば携帯電話、パーソナル携帯情報機器及びノートパソコン等の携帯型の通信装置の基本的な配置になりつつある。これらの携帯型の通信装置に使用された映像読み取りモジュールは小型化される必要があるため、如何にして映像読み取りモジュールの光学レンズに小型化と良好な光学性能を両立させるかは既に重要な研究課題になっている。
【０００３】
従来の技術では、レンズは、収容空間を有する鏡筒と、収容空間内に収容される複数のレンズとを備え、複数のレンズの間は積層して組み立てられることが多く、レンズは鏡筒の内壁に接着された押えリングを介して鏡筒内に制限される。しかしながら、このような方法で組み立てられたレンズは、その外形寸法が大きくて、小型化という市場の需要を満たすことができない。
【０００４】
したがって、従来のレンズの外形寸法が大きいという問題を解決するためのレンズを提供する必要がある。
【発明の概要】
【発明が解決しようとする課題】
【０００５】
本発明は、外形寸法が小さいレンズを提供することを目的とする。
【課題を解決するための手段】
【０００６】
本発明の技術案は以下のように実現される。
【０００７】
上記の目的を実現するために、本発明には、鏡筒と、前記鏡筒内に収容されるレンズ群とを備え、前記レンズ群は第１レンズを含み、前記鏡筒の内側壁には、第１磁気吸着部材が設けられており、前記第１レンズの外側壁には、前記第１磁気吸着部材に磁気吸着される第２磁気吸着部材が設けられているレンズが提供される。
【０００８】
１つの改良として、前記第１レンズは、第１光学部と、前記第１光学部の外周に設置される第１固定部とを含み、前記第１磁気吸着部材は前記鏡筒の内側壁に取り囲んで設置される環状の部材であり、前記第２磁気吸着部材は前記第１固定部の外側壁に取り囲んで設置される環状の部材である。
【０００９】
１つの改良として、前記鏡筒の内側壁には、第１環状溝が設けられており、第１磁気吸着部材は前記第１環状溝内に嵌設され、前記第１固定部の外側壁には、第２環状溝が凹設されており、前記第２磁気吸着部材は前記第２環状溝内に嵌設されている。
【００１０】
１つの改良として、前記第２磁気吸着部材は前記第１レンズの外側壁に取り囲んで設置される環状の部材であり、前記第１磁気吸着部材は、周方向に前記鏡筒の内側壁に間隔をあけて設置される幾つかの第１磁気ブロックを含む。
【００１１】
１つの改良として、前記鏡筒の内側壁には、周方向に間隔をあけて設置される幾つかの第１溝が設けられており、前記第１溝毎に１つの前記第１磁気ブロックが嵌設されており、前記第１レンズの外側壁に第２環状溝が凹設されており、前記第２磁気吸着部材は前記第２環状溝内に嵌設されている。
【００１２】
１つの改良として、前記第１磁気吸着部材は前記鏡筒の内側壁に取り囲んで設置される環状の部材であり、前記第２磁気吸着部材は、周方向に前記第１レンズの外側壁に間隔をあけて設置される幾つかの第２磁気ブロックを含む。
【００１３】
１つの改良として、前記鏡筒の内側壁に第１環状溝が設けられており、第１磁気吸着部材は前記第１環状溝内に嵌設され、前記第１レンズの外側壁には、周方向に間隔をあけて設置される幾つかの第２溝が設けられており、前記第２溝毎に１つの前記第２磁気ブロックが嵌設されている。
【００１４】
１つの改良として、前記第１磁気吸着部材は、周方向に前記鏡筒の内側壁に間隔をあけて設置される幾つかの第１磁気ブロックを含み、前記第２磁気吸着部材は、周方向に前記第１レンズの外側壁に間隔をあけて設置される幾つかの第２磁気ブロックを含み、かつ、前記鏡筒の内側壁には、周方向に間隔をあけて設置される幾つかの第１溝が設けられており、前記第１溝毎に１つの前記第１磁気ブロックが嵌設されており、前記第１レンズの外側壁には、周方向に間隔をあけて設置される幾つかの第２溝が設けられており、前記第２溝毎に１つの前記第２磁気ブロックが嵌設されている。
【００１５】
１つの改良として、前記レンズ群は、前記第１レンズの像側又は物体側に設置される少なくとも１つの第２レンズをさらに含み、前記第２レンズは、第２光学部と、前記第２光学部の外周に設置される第２固定部とを含み、前記鏡筒の内側壁には、前記鏡筒の軸方向において前記第１磁気吸着部材と間隔をあけて設置される第３磁気吸着部材が設けられており、前記第２固定部の外側壁には、前記第３磁気吸着部材に磁気吸着される第４磁気吸着部材が設けられている。
【００１６】
１つの改良として、前記第１固定部及び前記第２固定部のいずれにも、消光のための黒色消光層が設けられている。
【発明の効果】
【００１７】
本発明の有益な効果は、本発明では、鏡筒の内側壁に第１磁気吸着部材３０が設けられており、第１レンズの外側壁に第１磁気吸着部材に磁気吸着される第２磁気吸着部材が設けられており、このように、磁力により第１レンズを鏡筒内に固定し、第１レンズの外形寸法をより小さくすることができ、第１レンズの径方向における寸法及び体積を効果的に小さくし、電子機器のアスペクト比を向上させ、電子機器の体積を小さくすることに有利であり、これによって、当該レンズは小型化のレンズという市場の需要を満たすことができることにある。
【図面の簡単な説明】
【００１８】
【図１】本発明の実施例に提供されたレンズの正面断面図である。
【図２】図１におけるＡ部分の拡大図である。
【図３】鏡筒１０の正面断面図である。
【符号の説明】
【００１９】
１…レンズ、１０…鏡筒、１１…第１環状溝、２０…レンズ群、２１…第１レンズ、２１１…第１光学部、２１２…第１固定部、２２…第２レンズ、２２１…第２光学部、２２２…第２固定部、２３…第３レンズ、２３１…第３光学部、２３２…第３固定部、２４…第４レンズ、２４１…第４光学部、２４２…第４固定部、  ３０…第１磁気吸着部材、４０…第２磁気吸着部材、５０…第３磁気吸着部材、６０…第４磁気吸着部材、７０…第５磁気吸着部材８０…第６磁気吸着部材、９０…第７磁気吸着部材、１００…第８磁気吸着部材。
【発明を実施するための形態】
【００２０】
以下、図面及び実施形態を組み合わせて本発明をさらに説明する。
【００２１】
（第一実施例）
図１〜図３を参照すると、本発明の第１実施例には、鏡筒１０と、鏡筒１０内に収容されるレンズ群２０とを備え、レンズ群２０は、第１光学部２１１と第１光学部２１１の外周に設置される第１固定部２１２とを含む第１レンズ２１を含み、鏡筒１０の内側壁には、第１磁気吸着部材３０が設けられており、第１固定部２１２の外側壁には、前記第１磁気吸着部材３０に磁気吸着される第２磁気吸着部材４０が設けられているレンズ１が提供される。このように、当該設計方式で、第１レンズ２１は鏡筒１０に取り付けられる時に、第１磁気吸着部材３０と第２磁気吸着部材４０の磁気吸着により固定されることができ、レンズ１を組み立てる後の安定性が良好であり、レンズ１の確実性を向上させる。また、このような設計方式を採用したレンズ１は第１レンズ２１の外径の真円度に対する要求が高くないため、レンズ１における各部材の射出成形の難度を大幅に低下させ、これによって、第１レンズの外形寸法をより小さくすることができ、第１レンズ２１の径方向における寸法及び体積を効果的に小さくし、電子機器のアスペクト比を向上させ、電子機器の体積を小さくすることに有利である。具体的に、第１磁気吸着部材３０と第２磁気吸着部材４０の一方は磁石であり、他方は磁石又は磁石に磁気吸着可能な金属部材である。
【００２２】
好ましくは、第１磁気吸着部材３０は鏡筒１０の内側壁に取り囲んで設置される環状の部材であり、第２磁気吸着部材４０は第１レンズ２１の外側壁に取り囲んで設置される環状の部材であり、鏡筒１０の内側壁には、第１環状溝１１が設けられており、第１磁気吸着部材３０は第１環状溝１１内に嵌設されており、第１レンズ２１の外側壁には、第２環状溝が凹設されており、第２磁気吸着部材４０は第２環状溝内に嵌設されている。このように、第１レンズを組み立てる際に第１磁気吸着部材３０と第２磁気吸着部材４０との衝突を回避することができる。
【００２３】
本実施例では、第１レンズ２１と鏡筒１０との間が磁気吸着により固定されるため、第１レンズ２１は余計な第１固定部２１２を必要としない。したがって、本実施例では、第１レンズ２１の径方向における寸法を小さくし、レンズ１の体積をより小さくするために、第１固定部２１２は必要に応じて部分的に切除されても良い。
【００２４】
（第２実施例）
本実施例に提供されたレンズ１と第１実施例に提供されたレンズ１との相違点は、第１磁気吸着部材３０の設置形態が異なることにあり、具体的には、本実施例では、第１磁気吸着部材３０は周方向に鏡筒１０の内側壁に間隔をあけて設置される幾つかの第１磁気ブロックを含み、第２磁気吸着部材４０は第１レンズ２１の外側壁に取り囲んで設置される環状の部材である。
【００２５】
好ましくは、鏡筒１０の内側壁には、周方向に間隔をあけて設置される幾つかの第１溝が設けられており、第１溝毎に１つの第１磁気ブロックが嵌設されており、第１レンズ２１の外側壁に第２環状溝が凹設されており、第２磁気吸着部材４０は第２環状溝内に嵌設されている。
【００２６】
（第３実施例）
本実施例に提供されたレンズ１と第１実施例に提供されたレンズ１との相違点は、第２磁気吸着部材４０の設置形態が異なることにあり、具体的には、本実施例では、第２磁気吸着部材４０は周方向に第１レンズ２１の外側壁に間隔をあけて設置される幾つかの第２磁気ブロックを含み、第１磁気吸着部材３０は鏡筒１０の内側壁に取り囲んで設置される環状の部材である。
【００２７】
好ましくは、鏡筒１０の内側壁に第１環状溝１１が設けられており、第１磁気吸着部材３０は第１環状溝１１内に嵌設され、第１レンズ２１の外側壁には、周方向に間隔をあけて設置される幾つかの第２溝が設けられており、第２溝毎に１つの第２磁気ブロックが嵌設されている。
【００２８】
（第４実施例）
本実施例に提供されたレンズ１と第１実施例に提供されたレンズ１との相違点は、第１磁気吸着部材３０と第２磁気吸着部材４０の設置形態が異なることにあり、具体的には、本実施例では、第１磁気吸着部材３０は、周方向に鏡筒１０の内側壁に間隔をあけて設置される幾つかの第１磁気ブロックを含み、第２磁気吸着部材４０は、周方向に第１レンズ２１の外側壁に間隔をあけて設置される幾つかの第２磁気ブロックを含む。
【００２９】
好ましくは、鏡筒１０の内側壁には、周方向に間隔をあけて設置される幾つかの第１溝が設けられており、第１溝毎に１つの第１磁気ブロックが嵌設されており、第１レンズ２１の外側壁には、周方向に間隔をあけて設置される幾つかの第２溝が設けられており、第２溝毎に１つの第２磁気ブロックが嵌設されている。
【００３０】
好ましくは、上記の第１〜第４実施例におけるレンズ群２０は、像側から物体側まで順次に積層して設置される第２レンズ２２、第３レンズ２３及び第４レンズ２４をさらに含み、第２レンズ２２、第３レンズ２３及び第４レンズ２４はいずれも鏡筒１０内に設置され、第２レンズ２２は、第２光学部２２１と、第２光学部２２１の外周に設置される第２固定部２２２とを含み、第３レンズ２３は、第３光学部２３１と、第３光学部２３１の外周に設置される第３固定部２３２とを含み、第４レンズ２４は、第４光学部２４１と、第４光学部２４１の外周に設置される第４固定部２４２とを含み、第２レンズ２２、第３レンズ２３及び第４レンズ２４と鏡筒１０の接続形態は、上記の第１〜第４実施例における第１レンズ２１と鏡筒１０の接続形態の対応する最適化の設計を参照することができる。
【００３１】
具体的に、鏡筒１０の内側壁には、第１磁気吸着部材３０と間隔をあけて設置される第３磁気吸着部材５０がさらに設けられており、第２レンズ２２の外側壁には、第３磁気吸着部材５０に磁気吸着される第４磁気吸着部材６０が設けられており、鏡筒１０の内側壁には、第５磁気吸着部材７０がさらに設けられており、第３レンズ２３の外側壁には、第５磁気吸着部材７０に磁気吸着される第６磁気吸着部材８０が設けられており、鏡筒１０の内側壁には、第７磁気吸着部材９０がさらに設けられており、第４レンズ２４の外側壁には、第７磁気吸着部材９０に磁気吸着される第８磁気吸着部材１００が設けられており、第１磁気吸着部材３０、第３磁気吸着部材５０、第５磁気吸着部材７０及び第７磁気吸着部材９０は像側から物体側まで順次に鏡筒１０内に設置される。
【００３２】
理解できるように、レンズの数は上記の４つに限らず、例えば、レンズの数は、２つ（即ち、レンズ群２０は上記の第１レンズ２１及び第２レンズ２２のみを含む）、又は３つ（即ち、レンズ群２０は上記の第１レンズ２１、第２レンズ２２及び第３レンズ２３を含む）、又は４つ以上であってもよく、具体的に実際の必要に応じて決定できる。
【００３３】
好ましくは、第１固定部２１２、第２固定部２２２、第３固定部２３２及び第４固定部２４２のいずれにも、消光のための黒色消光層が塗布又はめっきされており、当該黒色消光層は迷光の発生を効果的に回避できる。黒色消光層は具体的にインクの塗布又は黒化処理によって製造されるものである。
【００３４】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
2020106823.tif 000003
【図２】
2020106823.tif 000004
【図３】
2020106823.tif 000005
【手続補正書】
【提出日】令和2年3月10日(2020.3.10)
【手続補正１】
【補正対象書類名】特許請求の範囲
【補正対象項目名】請求項１
【補正方法】変更
【補正の内容】
【請求項１】
鏡筒と、前記鏡筒内に収容されるレンズ群とを備え、前記レンズ群は第１レンズを含むレンズであって、前記鏡筒の内側壁には、第１磁気吸着部材が設けられており、前記第１レンズの外側壁には、前記第１磁気吸着部材に磁気吸着される第２磁気吸着部材が設けられ、前記第１磁気吸着部材と前記第２磁気吸着部材の一方は磁石であり、他方は磁石又は磁石に磁気吸着可能な金属部材であり、前記第１磁気吸着部材が前記第２磁気吸着部材に吸着されて固定されていることを特徴とするレンズ。